(57)【特許請求の範囲】
【請求項１】
遊技領域を視認する窓枠の下方に遊技球を一時的に貯留可能な上受け皿と、該上受け皿より溢れた遊技球を貯留可能な下受け皿を備えた遊技機であって、
上受け皿は、遊技球を貯留する貯留部と貯留部を囲むカバー部と、該カバー部の底部に設けられた光透過部と、貯留部底部とカバー部底部の間に光軸が下受け皿を向く光源を有する発光手段を備え、
上受け皿の貯留部は透光性を有しており、光透過部の近傍には発光手段から下受け皿に向けて照射した光を反射させて上受け皿の貯留部底部を照射する光反射部を備えた遊技機。
【請求項２】
遊技領域を視認する窓枠の下方に遊技球を一時的に貯留可能な上受け皿と、該上受け皿より溢れた遊技球を貯留可能な下受け皿を備えた遊技機であって、
上受け皿は、遊技球を貯留する貯留部と貯留部を囲むカバー部と、該カバー部の底部に設けられた光透過部と、貯留部底部とカバー部底部の間に光軸が下受け皿を向く光源を有する発光手段を備え、
発光手段は光軸が下受け皿に向かう第１の光源と光軸が上受け皿に向かう第２の光源を各々備えた遊技機。
【請求項３】
遊技領域を視認する窓枠の下方に遊技球を一時的に貯留可能な上受け皿と、該上受け皿より溢れた遊技球を貯留可能な下受け皿を備えた遊技機であって、
上受け皿は、遊技球を貯留する貯留部と貯留部を囲むカバー部と、該カバー部の底部に設けられた光透過部と、貯留部底部とカバー部底部の間に光軸が下受け皿を向く光源を有する発光手段を備え、
発光手段を可動させる可動手段を備え、発光手段から上受け皿及び下受け皿へ照射する光軸方向を各々変化させる遊技機。
【請求項４】
光透過部にはレンズ部材が設けられている請求項１乃至３のいずれか１項記載の遊技機。
【請求項５】
下受け皿の貯留部は透光性を有しており、発光手段より下受け皿へ向けて照射された光を当該下受け皿の下方に設置されるドル箱へ照射する請求項１乃至４のいずれか１項記載の遊技機。
【発明の詳細な説明】
【技術分野】
【０００１】
本発明は、遊技領域を視認する窓枠の下方に遊技球を一時的に貯留可能な上受け皿と、該上受け皿より溢れた遊技球を貯留可能な下受け皿を備えた遊技機に関する。
【背景技術】
【０００２】
例えばぱちんこ機などの遊技機には、遊技領域を視認する窓枠の下方に遊技球を一時的に貯留可能な球受け皿が設けられている。この球受け皿内を明るく照らすことで遊技球を見えやすくし、装飾性を向上させた遊技機が提案されている。この遊技機は、上受け皿の貯留部底部に光透過部を設け、貯留部底部より下方に設けた発光体より光透過部を通過して貯留部へ光照射するようになっている（特許文献１参照）。
【特許文献１】特開２００３−１２６３８５号公報
【発明の開示】
【発明が解決しようとする課題】
【０００３】
しかしながら、上述した遊技機においては、上受け皿の貯留部底部に内部の光源より光照射するようになっているため、遊技球が貯留されるにしたがって発光態様が視認し難くなる。遊技球が山積みされた状態では、遊技球により照射光を乱反射する効果は期待し難く、十分な装飾効果が得られない。
【０００４】
本発明は、このような事情に鑑みてなされたもので、その目的は、球受け皿への遊技球の貯留状態にかかわらず遊技者に発光態様を視認させることが可能な遊技機を提供することにある。
【課題を解決するための手段】
【０００５】
本発明は上記目的を達成するため、次の構成を備える。
遊技領域を視認する窓枠の下方に遊技球を一時的に貯留可能な上受け皿と、該上受け皿よりオーバーフローした遊技球を貯留可能な下受け皿を備えた遊技機であって、上受け皿は、遊技球を貯留する貯留部と貯留部を囲むカバー部と、該カバー部の底部に設けられた光透過部と、貯留部底部とカバー部の間に光軸が下受け皿を向く光源を有する発光手段を備えたことを特徴とする。
【０００６】
光透過部にはレンズ部材が設けられていることを特徴とする。
【０００７】
上受け皿の貯留部は透光性を有しており、光透過部の近傍には発光手段から下受け皿に向けて照射した光を反射させて上受け皿の貯留部を照射する光反射部を備えたことを特徴とする。
【０００８】
発光手段は光軸が下受け皿に向かう第１の光源と光軸が上受け皿に向かう第２の光源を各々備えたことを特徴とする。
【０００９】
発光手段を可動させる可動手段を備え、発光手段から上受け皿及び下受け皿へ照射する光軸方向を各々変化させることを特徴とする。
【００１０】
下受け皿の貯留部は透光性を有しており、発光手段より下受け皿へ向けて照射された光を当該下受け皿の下方に設置されるドル箱へ照射することを特徴とする。
【発明の効果】
【００１１】
上述した遊技機を用いれば、上受け皿は、遊技球を貯留する貯留部と貯留部を囲むカバー部と、該カバー部の底部に設けられた光透過部と、貯留部底部とカバー部の間に光軸が下受け皿を向く光源を有する発光手段を備えており、発光手段はカバー部材に形成された光透過部を通じて下受け皿及び該下受け皿に貯留された遊技球に光を当てることができる。よって、下受け皿への遊技球の貯留状態にかかわらず遊技者に光源の発光態様を視認させることができる。
【００１２】
また、光透過部にはレンズ部材が用いられることにより、レンズ部材により集光して輝度を上げたり光を拡散させたりして光源に用いられる発光素子の負担を軽減したり、発光素子の数を削減したりすることができる。
【００１３】
また、上受け皿の貯留部は透光性を有しており、光透過部の近傍には発光手段から下受け皿に向けて照射した光を反射させて上受け皿の貯留部を照射する光反射部を備えていると、１つの光源から照射された光が光透過部を通じて下受け皿を照射するのみならず、光反射部の反射光を上受け皿の貯留部へ照射させることで装飾演出効果を高めることができる。
【００１４】
発光手段は光軸が下受け皿に向かう第１の光源と光軸が上受け皿に向かう第２の光源を各々備えたことにより、１つの発光手段から上受け皿及び下受け皿を光照射するので、省スペースで効率よく発光手段を機能させることができる。
【００１５】
発光手段を可動させる可動手段を備え、発光手段から上受け皿及び下受け皿へ照射する光軸方向を各々変化させることで、遊技機前面の表示装置と共に装飾演出効果を高めることができる。
【００１６】
下受け皿の貯留部は透光性を有しており、発光手段より下受け皿へ向けて照射された光を当該下受け皿の下方に設置されるドル箱へ照射することで、受け皿に貯留される遊技球のみならずドル箱に回収される賞球も光らせることで、装飾効果が増大する。
【発明を実施するための最良の形態】
【００１７】
以下、本発明の実施形態について図面を参照しながら具体的に説明する。
図１を参照して本実施形態に係る遊技機の概略構成について説明する。
遊技機１は外枠２と遊技盤３が設けられた内枠（図示せず）と、内枠を覆う前面枠４を備えている。内枠はヒンジ５により外枠２に対して開閉可能に取り付けられている。また、前面枠４は内枠に開閉可能に取り付けられている（ヒンジ部図示せず）。前面枠４の表示窓６を囲む左右両側にはイコライザー機能を有する表示装置７が設けられている。また前面枠４の表示窓６の下方には遊技球を一時的に貯留可能な上受け皿８と、該上受け皿８よりオーバーフローした遊技球を貯留可能な下受け皿９が設けられている。下受け皿９には、球抜きボタン１０、カード残り数を表示する表示部１１、球貸出しボタン１２、プリペイドカード返却ボタン１３などが設けられている。下受け皿９の左側には、タバコの吸殻を収容する灰皿１４、右側には遊技盤３へ遊技球を打ち出すためのハンドル１５が設けられている。
【００１８】
図２において、上受け皿８は以下の構成を有する。
遊技球を貯留する貯留部１６と貯留部１６を囲むカバー部１７が設けられている。貯留部１６は、光透過性の樹脂材（例えばポリカーボネイト樹脂材、ＡＢＳ樹脂材など）が好適に用いられる。また、カバー部１７の底部には、複数の光透過部（開口部）１８が設けられている。また、貯留部底部１６ａとカバー部１７の間に発光基板１９（発光手段）を備えている。更に、カバー部１７の光透過部１８を含む底部には、レンズ部材２２が設けられている。このレンズ部材２２により第１の光源（ＬＥＤなどの発光素子）２０より照射された光を集光して輝度を上げたり或いは拡散させたりして発光素子の負担を軽減したり、発光素子の数を削減したりすることができる。
【００１９】
レンズ部材２２には光透過部１８を除き光反射部（リフレクター）３１が重ねて設けられている。リフレクター３１により第１の光源２０から下受け皿９へ向けて照射された拡散光を貯留部底部１６ａへ向かわせて、装飾効果を高めることができる。リフレクター３１は、例えば反射シート、反射ミラーなどの鏡面材や樹脂にめっき加工したものが用いられる。また、光透過部１８を除きリフレクター３１が設けられているので、発光基板１９はカバー部１７に形成された光透過部１８を通じて下受け皿９及び該下受け皿９に貯留された遊技球に光を当てることができる。よって、下受け皿９への遊技球の貯留状態にかかわらず遊技者に光源の発光態様を視認させることができる。
【００２０】
発光基板１９には光軸が下受け皿９を向く第１の光源２０、光軸が貯留部底部１６ａを向く第２の光源２１が設けられている。このように１つの発光基板１９から上受け皿８及び下受け皿９へ向けて光照射するので、省スペースで効率よく発光手段を機能させることができる。
【００２１】
また、上受け皿８の立ち壁部１６ｂの背面側には発光基板３５が設けられている。発光基板３５には第３の光源（ＬＥＤなどの発光素子）３６が設けられている。この第３の光源３６は光透過性を有する立ち壁部１６ｂを光らせる。これにより、発光基板１９の第２の光源２１と発光基板３５の第３の光源３６から各々光照射され、これらが重畳的に上受け皿８を光らせることで、装飾効果を高めることができる。
【００２２】
また、図３（ａ）において、上受け皿８には、発光基板１９（発光手段）を可動させる可動装置２３（可動手段）を備えている。可動装置２３の一例について説明する。発光基板１９の長手方向中心部には回転軸２４が連繋している。この回転軸２４にはギヤ２５が設けられており、モータ２６により駆動されるギヤ２７と噛み合っている。このモータ２６を正逆回転することにより、発光基板１９が回転軸２４を中心に揺動回転する（図３（ｂ）参照）。これにより、図３（ａ）において第１の光源２０からレンズ部材２２を通過して下受け皿９（図２参照）へ照射される光軸も揺動するため、遊技機前面の表示装置７(図１参照)と共に装飾演出効果を高めることができる。尚、可動装置２３は、モータ駆動に変えてソレノイド駆動など他の駆動方式を採用することも可能である。図３（ａ）において、３３は賞球排出口である。
【００２３】
また、図４において、光透過部１８の近傍に光反射部（リフレクター）３１が設けられている。また、発光基板１９には、基板と平行方向外側に向かう光軸を有する光源３２が設けられている。発光基板１９は、図３と同様にモータ２６によりギヤ列２７、２５を介して回転軸２４を中心に揺動回転するようになっている。これにより、光源３２により上受け皿８及び下受け皿９（図２参照）を照射すると共に、下受け皿９へ向けて照射した光がリフレクター３１で反射して上受け皿８の貯留部底部１６ａを照射する。これによって、上受け皿８の貯留部底部１６ａの輝度が増大して装飾効果を向上できる。また、発光基板１９を揺動回転させることで、光軸が変化することで、演出効果も向上する。
【００２４】
図５において、下受け皿９は上受け皿８と同様に遊技球を貯留する貯留部２８とこれを囲むカバー部４１が設けられている。この下受け皿９の貯留部２８に設けられる球抜き部２９が透光性を有していてもよい。球抜き部２９は、球抜きボタン１０（図１参照）が押される間だけ貯留部２８の底部開口２８ａを開閉するようになっている。球抜き部２９は、光透過性の樹脂材（例えばポリカーボネイト樹脂材、ＡＢＳ樹脂材、アクリル樹脂材など）が好適に用いられる。これにより、球抜き部２９の開閉状態によらず発光基板１９より下受け皿９へ向けて照射された光が球抜き部２９を通じて下方に設置されるドル箱３０へ照射される。よって、上下受け皿８，９に貯留される遊技球のみならずドル箱３０に回収される賞球も光らせることで、装飾効果が増大する。尚、図５において、３４は上受け皿８から下受け皿９への球排出口である。
【００２５】
図６は、下受け皿９の球抜き部２９のみならず貯留部２８も透光性を有していてもよい。貯留部２８には光透過性の樹脂材（例えばポリカーボネイト樹脂材、ＡＢＳ樹脂材、アクリル樹脂材など）が好適に用いられる。また、カバー部４１の一部（底部）に透過孔２８ｂが設けられている。この透過孔２８ｂより貯留部２８を通過した光が減衰することなくドル箱３０を満遍なく照射することができる。
【００２６】
図７において、上受け皿８の貯留部１６に透明樹脂材（アクリル樹脂材）を用い、前面枠４に沿った立ち壁部１６ｂに第２の光源２１に臨む光吸い込み部（テーパー面部）１６ｃが設けられていても良い。発光基板１９の第２の光源２１より照射された光が光吸い込み部１６ｃより吸い込まれて立ち壁部１６ｂ内で全反射しながら進むことで当該立ち壁部１６ｂの輝度が増大して、貯留部１６に貯留する遊技球を光らせることができる。これにより、図２に示す発光基板３５を設けなくても発光基板１９のみでも上受け皿８の装飾効果を高めることができる。
【００２７】
また、図７において、幕板３７の背面側にも発光基板３８が設けられている。この発光基板３８には第４の光源（ＬＥＤなどの発光素子）３９が設けられている。図６において、幕板３７の前面には下受け皿９に排出された賞球を回収するドル箱３０が設置される。第４の光源３９は、幕板３７に設けられた装飾部（光透過性を有する樹脂材、レンズ部材など）４０を光らせる。このように、発光基板１９の第１の光源２０から下受け皿９を透過しかつ発光基板３８の第４の光源３９から装飾部４０を透過して各々光照射され、これらが重畳的にドル箱３０を光らせることで、演出効果を高めることができる（図７参照）。
【図面の簡単な説明】
【００２８】
【図１】遊技機の正面図である。
【図２】上下受け皿の断面説明図である。
【図３】発光基板を可動にする可動装置の説明図及び発光基板の動作説明図である。
【図４】リフレクターを設けた上受け皿の部分断面図である。
【図５】下受け皿の構成を示す断面説明図ある。
【図６】他例に係る下受け皿の構成を示す断面説明図ある。
【図７】他例に係る上下受け皿の断面説明図である。
【符号の説明】
【００２９】
１  遊技機
２  外枠  
３  遊技盤
４  前面枠  
５  ヒンジ  
６  表示窓  
７  表示装置  
８  上受け皿  
９  下受け皿  
１０  球抜きボタン  
１１  表示部  
１２  球貸出しボタン  
１３  プリペイドカード返却ボタン  
１４  灰皿  
１５  ハンドル  
１６、２８  貯留部  
１６ａ  貯留部底部  
１６ｂ  立ち壁部  
１６ｃ  光吸い込み部  
１７、４１  カバー部  
１８  光透過部  
１９、３５、３８  発光基板  
２０  第１の光源  
２１  第２の光源  
２２  レンズ部材  
２３  可動装置    
２４  回転軸  
２５、２７  ギヤ  
２６  モータ  
２８ａ  底部開口
２８ｂ  透過孔
２９  球抜き部  
３０  ドル箱  
３１  リフレクター  
３２  光源  
３３  賞球排出口
３４  球排出口
３６  第３の光源
３７  幕板
３９  第４の光源
４０  装飾部
【図１】
0005049669.tif 000002
【図２】
0005049669.tif 000003
【図３】
0005049669.tif 000004
【図４】
0005049669.tif 000005
【図５】
0005049669.tif 000006
【図６】
0005049669.tif 000007
【図７】
0005049669.tif 000008